(57)【要約】【課題】ゴム部品を得る際の速度分布を簡単かつ安価な方法で得る。【解決手段】ゴム押出機から押し出されたゴム６を、ゴム押出成型用ダイ２に供給し、口金８から押し出すゴム６の押出成型を行う。このゴム６の押出成型は、口金８に、複数の測定用貫通孔１１を有する測定用ブロック１０を取り付ける第１工程と、測定用ブロック１０の各測定用貫通孔１１から吐出されるゴム６の長さ及び押出時間をそれぞれ測定する第２工程と、第２工程で測定したゴム６の長さ及び押出時間に基づいて各測定用貫通孔１１でのゴム６の流速を算出する第３工程と、第３工程で算出した各測定用貫通孔１１でのゴム６の流速に基づいて、口金８でのゴム６の押出速度分布を作成する第４工程と、を備える。【選択図】図１
2019072920.tif 000002
【特許請求の範囲】
【請求項１】
ゴム押出機から押し出されたゴムを、ゴム押出成型用ダイに供給し、口金から押し出す押出成型装置に於けるゴム部品の押出速度分布の測定方法であって、
前記口金の前端面に、複数の測定用貫通孔を有する測定用ブロックを取り付ける第１工程と、
前記測定用ブロックの各測定用貫通孔から吐出されるゴムの長さ及び押出時間をそれぞれ測定する第２工程と、
前記第２工程で測定したゴムの長さ及び押出時間に基づいて前記各測定用貫通孔でのゴムの流速を算出する第３工程と、
前記第３工程で算出した各測定用貫通孔でのゴムの流速に基づいて、前記口金でのゴム部品の速度分布を作成する第４工程と、
を備える、押出成型装置に於けるゴム部品の押出速度分布の測定方法。
【請求項２】
前記第３工程では、前記測定用ブロックの各測定用貫通孔から押し出されるゴムの押出時間が設定時間に到達した時点で、前記各測定用貫通孔から押し出されたゴムの長さを測定することによりゴムの流速を算出する、請求項１に記載の押出成型装置に於けるゴム部品の押出速度分布の測定方法。
【請求項３】
前記口金は、断面矩形状の開口を有する、請求項１又は２に記載の押出成型装置に於けるゴム部品の押出速度分布の測定方法。
【請求項４】
前記測定用ブロックの測定用貫通孔は、前記口金の開口に対して均等に形成されている、請求項１から３のいずれか１項に記載の押出成型装置に於けるゴム部品の押出速度分布の測定方法。
【請求項５】
前記測定用ブロックの測定用貫通孔のうち、前記口金の開口に対してはみ出して配置されるものがある場合、前記口金の開口に完全に連通するもののみをゴムの流速の測定対象とする、請求項１から４のいずれか１項に記載の押出成型装置に於けるゴム部品の押出速度分布の測定方法。
【発明の詳細な説明】
【技術分野】
【０００１】
本発明は、押出成型装置に於けるゴム部品の押出速度分布の測定方法に関するものである。
【背景技術】
【０００２】
押出成形によりダイから押し出されるゴム部品の速度分布が不均一であると、目標通りの部品形状が得られない等の問題が発生する。このため、ゴム部品の速度分布を把握し、この速度分布が均一になるように流量やダイ形状を調整する必要がある。
【０００３】
一般に、流体の速度を測定する方法として、トレーサ粒子を混入させカメラで撮影するなどの可視化手法がとられる場合が多い。しかしながら、このような方法が適用できるのは、材料が半透明である等の一定の条件を満たす必要があり、ゴムへの採用は難しい。
【０００４】
ゴムの速度を測定する方法として、レーザで表面速度を測定する方法も考えられる。しかし、レーザを使用する場合、当然ながら内部の速度分布まで把握することはできない。また、ゴムが断面扁平形状で、表面が波打った状態で吐出される場合の測定は難しい。
【０００５】
特許文献１には、ゴム押出し機からのゴムを、押出しヘッドのヘッド流路を案内し、プリフォーマのプリフォーマ流路で加熱しながら予成形して押し出してゴム押出体を成形するゴム押出し装置が開示されている。
【０００６】
特許文献２には、スクリューから供給されたペースト状の原料組成物を流路から抵抗管を介してダイへと移送する途中に、流量調整板を設けた押出成形装置が開示されている。
【０００７】
しかしながら、いずれの特許文献にも押し出すゴムの速度分布の測定方法についての開示はない。
【先行技術文献】
【特許文献】
【０００８】
【特許文献１】特開２０１５−８５５４４号公報
【特許文献２】特許第５７５３００６号公報
【発明の概要】
【発明が解決しようとする課題】
【０００９】
本発明は、ゴム部品を得る際の速度分布を簡単かつ安価な方法で得ることができる押出成型装置に於けるゴム部品の押出速度分布の測定方法を提供することを課題とする。
【課題を解決するための手段】
【００１０】
本発明は、前記課題を解決するための手段として、
ゴム押出機から押し出されたゴムを、ゴム押出成型用ダイに供給し、口金から押し出す押出成型装置に於けるゴム部品の押出速度分布の測定方法であって、
前記口金に、複数の測定用貫通孔を有する測定用ブロックを取り付ける第１工程と、
前記測定用ブロックの各測定用貫通孔から吐出されるゴムの長さ及び押出時間をそれぞれ測定する第２工程と、
前記第２工程で測定したゴムの長さ及び押出時間に基づいて前記各測定用貫通孔でのゴムの流速を算出する第３工程と、
前記第３工程で算出した各測定用貫通孔でのゴムの流速に基づいて、前記口金でのゴム部品の速度分布を作成する第４工程と、
を備える、押出成型装置に於けるゴム部品の押出速度分布の測定方法を提供する。
【００１１】
これによれば、口金の前端面に測定ブロックを取り付けただけの簡単かつ安価な構成で、ゴム部品の速度分布を測定することができる。すなわち、測定用ブロックの各測定用貫通孔から押し出されるゴムの長さと押出時間を測定するだけで、簡単に速度分布を求めることが可能である。また、この方法であれば、種類の相違する複数のゴムを押出成型する場合であっても、ゴムの流速を測定することができる。
【００１２】
前記第３工程では、前記測定用ブロックの各測定用貫通孔から押し出されるゴムの押出時間が設定時間に到達した時点で、前記各測定用貫通孔から押し出されたゴムの長さを測定することによりゴムの流速を算出すればよい。
【００１３】
前記口金は、断面矩形状の開口を有していてもよい。
【００１４】
前記測定用ブロックの測定用貫通孔は、前記口金の開口に対して均等に形成されているのが好ましい。
【００１５】
これによれば、口金の通路の全範囲の速度分布を測定することができる。
【００１６】
前記測定用ブロックの測定用貫通孔のうち、前記口金の開口に対してはみ出して配置されるものがある場合、前記口金の開口に完全に連通するもののみをゴムの流速の測定対象とするのが好ましい。
【００１７】
これによれば、口金の前端面での開口形状の違いに拘わらず、単一の測定用ブロックを用意しておくだけでよく、測定用貫通孔のレイアウトの相違する複数の測定用ブロックは不要とすることができる。
【発明の効果】
【００１８】
本発明によれば、口金を複数の測定用貫通孔を揺する測定用ブロックに交換し、各測定用貫通孔を通過するゴムの長さと押出時間に基づいて速度分布を測定するようにしているので、簡単かつ安価な構成で、適切な速度分布を得ることができる。
【図面の簡単な説明】
【００１９】
【図１】第１実施形態に係るゴム押出成型装置の概略図である。
【図２】図１に示す測定用ブロックの斜視図である。
【図３】口金に測定用ブロックを取り付けた状態で、口金の後端面側から見た図（背面図）である。
【図４】不均一なゴム流れの例を示す速度分布図である。
【図５】均一なゴム流れが得られるように対策した後の速度分布図である。
【図６】第２実施形態に係るゴム押出成型装置の概略図である。
【図７】測定用貫通孔と口金８の開口との関係の他の例を示す図である。
【発明を実施するための形態】
【００２０】
以下、本発明に係る実施形態を添付図面に従って説明する。なお、以下の説明は、本質的に例示に過ぎず、本発明、その適用物、あるいは、その用途を制限することを意図するものではない。また、図面は模式的なものであり、各寸法の比率等は現実のものとは相違している。
【００２１】
（第１実施形態）
図１は、第１実施形態に係るゴム押出成型装置の概略を示す。このゴム押出成型装置は、ゴム押出機１とゴム押出成型用ダイ２を備える。以下、各部材の部位を説明する用語として、ゴム押出成型用ダイ２からゴム押出機１に向かう方向に「後端」、その反対方向を「前端」と記載することがある。
【００２２】
ゴム押出機１は、モータ３により内蔵するスクリュー４を回転させることにより、投入口５から投入したゴム６を混練し、可塑化して押し出すものである。
【００２３】
ゴム押出成型用ダイ２は、ゴム押出機１から押し出されたゴム６をタイヤ成型用ゴム部品として押し出すものである。ゴム押出成型用ダイ２は、押出機側に接続されるプレダイ７と、その先端側に一体化される口金８とで構成されている。
【００２４】
プレダイ７は、ゴム押出機１から押し出されたゴム６を口金８へと集約するもので、前端側で前端に向かうに従って徐々に横断面積が小さくなっている。
【００２５】
口金８は、直方体形状で、前記プレダイ７の前端面に配置される。口金８には、前端面と後端面とを連通する横断面矩形状の通路９が形成されている。通路９の横断面積は、後端面から前端面に向かうに従って徐々に小さくなっており、ゴム６がこの通路９を通過することによりゴム部品が得られる。
【００２６】
前記構成のゴム押出成型装置では、次のようにして成型するゴム６の押出速度の分布を測定できるようになっている。
【００２７】
まず、口金８の前端面に測定用ブロック１０を取り付ける（第１工程）。
【００２８】
図２に示すように、測定用ブロック１０は、直方体形状で、後端面から前端面に向かって複数の測定用貫通孔１１が形成されている。測定用貫通孔１１は、横断面円形の同一形状であり、ここでは直径が１ｍｍ以上で、かつ、口金８の開口の上下方向の幅寸法以下に形成されている。図３も併せて参照すると、測定用貫通孔１１は、口金８の前端面での開口に対してほぼ均等に配置されている。ここでは、測定用貫通孔１１は、縦３列、横８列の合計２４個で構成されている。この場合、口金８の開口面積に対する測定用貫通孔１１の開口面積の合計は、ゴム６の流動抵抗が大きくならないように、８０％以上、好ましくは９０％以上とされている。また、測定用貫通孔１１の長さは、ゴム６の流動抵抗が大きくならないように、２ｃｍ未満とし、好ましくは１ｃｍ未満とされている。
【００２９】
続いて、口金８から押し出すゴム部品の長さ及び押出時間を測定する（第２工程）。
【００３０】
さらに、測定されたゴム部品の長さ及び押出時間等に基づいてゴム部品の押出速度を算出する（第３工程）。この速度の算出方法としては、例えば、次の２つが考えられる。
【００３１】
（１）測定用ブロック１０の各測定用貫通孔１１から押し出されるゴム部品の押出時間が設定時間に到達した時点で、各測定用貫通孔１１から押し出されたゴム部品の長さを測定する。この場合、光センサ等の測定手段で、測定用ブロック１０の前端面からのゴム部品の到達位置までの長さを測定するようにしてもよい。これによれば、測定作業を自動化することができる。
【００３２】
（２）測定用ブロック１０の各測定用貫通孔１１から押し出されたゴム６の重量Ｗを測定し、そのゴム部品を押し出すにかかった時間ｔ、測定用貫通孔１１の横断面積Ｓ、ゴム６の比重ｄに基づいて次式に従ってゴム部品の押出速度Ｖを算出する。
Ｖ＝Ｗ／（ｔ×Ｓ×ｄ）
【００３３】
このようにして各測定用貫通孔１１でのゴム６の流速が求められれば、市販のソフトウェア等を使用して口金８の開口での速度分布図（コンター図）を作成する（第４工程）。
【００３４】
ところで、各測定用貫通孔１１から押し出されるゴム部品の押出速度は、できるだけ均一にするのが好ましい。一般に、口金８の開口が左右に広がった扁平の矩形状であるので、中央部から左右に向かうに従ってゴム部品の流速が低下する傾向にある（図４参照）。そこで、算出されたゴム部品の流速が不均一であれば、ゴム押出成型用ダイ２の調整等を行う。例えば、中央部で速くなり過ぎている場合、ゴム押出機１とプレダイ７の間、あるいは、プレダイ７と口金８の間で、流路の中央部分にハニカムフィルタ等を設置して流動抵抗を増すことにより、全体に均一なゴム流れを得るようにすればよい（図５参照）。
【００３５】
ゴム６の押出速度がばらついて不均一なゴム流れとなると、押し出されたゴム部品に波打ち現象が発生し、厚みが不均一となったり、側縁部に切れ目が出現したりする。しかしながら、前述のように、均一なゴム流れが得られることにより、これらの問題は発生しにくくなる。
【００３６】
（第２実施形態）
図６は、第２実施形態に係るゴム押出成型装置の概略を示す。このゴム押出成型装置では、ゴム押出成型用ダイ２の構成は、前記第１実施形態と同様であるが、種類の異なるゴム６を押し出し可能な２台のゴム押出機１Ａ，１Ｂを備えている点で相違する。各ゴム押出機１Ａ，１Ｂは、モータ３Ａ，３Ｂの駆動により内蔵するスクリュー４Ａ，４Ｂを回転させて投入したゴムを混練する点で、前記第１実施形態と同様である。また、ゴム押出成型用ダイ２のプレダイ７は、各ゴム押出機１Ａ，１Ｂからのゴム６を合流させることができるように後端側が分岐している。
【００３７】
第２実施形態では、種類の異なるゴム６が２層で押出成型されるので、当然、測定用ブロック１０の各測定用貫通孔１１から押し出されるゴム部品の種類が相違し、場合によっては混合することがある。このため、前記（２）の方法では正確にゴム６の押出速度を求めることは難しい。したがって、第２実施形態では、前記（１）の方法によりゴム６の押出速度を求めるようにすればよい。
【００３８】
なお、本発明は、前記実施形態に記載された構成に限定されるものではなく、種々の変更が可能である。
【００３９】
前記実施形態では、ゴム押出機１を１台又は２台としたが、３台以上としてもよい。
【００４０】
前記実施形態では、口金８の開口を矩形状としたが、台形状、五角形状、楕円形状、円形状等、種々の形状とすることができる。この場合、測定用ブロック１０の測定用貫通孔１１は、口金８の開口形状に合わせて、その領域内に均等に配置するようにすればよい。また、口金８の開口形状に拘わらず、測定用貫通孔１１を設けるのは特定の領域内としてもよい。但し、測定用貫通孔１１を設ける領域は、口金８の開口を全て含む範囲とする必要がある。例えば、図７に示すように、口金８の開口を台形状とした場合であっても、測定用貫通孔１１を設けるのは、この開口を全て含む矩形領域とする必要がある。この場合、測定用貫通孔１１のうち、口金８の開口に対して開口していない測定用貫通孔１１ａ、あるいは、部分的に開口するだけの測定用貫通孔１１ｂは測定の対象とせず、全て開口している測定用貫通孔１１ｃのみを対象とするのが望ましい。
【００４１】
前記実施形態では、測定用ブロック１０の測定用貫通孔１１を円形状としたが、格子状、スリット、三角形状等、種々の形状とすることができる。格子状の場合、各四角形の一辺は１ｍｍ以上とするのが好ましい。またいずれの場合であっても、サイズ及び形状共に同一とするのが好ましい。これは、各測定用貫通孔１１でのゴム部品の流動抵抗を同一にするためである。
【符号の説明】
【００４２】
１…ゴム押出機
２…ゴム押出成型用ダイ
３…モータ
４…スクリュー
５…投入口
６…ゴム
７…プレダイ
８…口金
９…通路
１０…測定用ブロック
１１…測定用貫通孔
【図１】
2019072920.tif 000003
【図２】
2019072920.tif 000004
【図３】
2019072920.tif 000005
【図４】
2019072920.tif 000006
【図５】
2019072920.tif 000007
【図６】
2019072920.tif 000008
【図７】
2019072920.tif 000009